(57)【要約】【課題】幕板を本体に対してガタ付き無く固定できる幕板の取付構造および取付方法を提供すること。【解決手段】幕板６４の本体６３への取り付けは、ねじ６６の軸部６６ａに掛止金具６９の掛止部６９ｂの切り欠き６９ｃを引っ掛けた後、幕板６４を本体６３側に押圧して幕板６４の係合部６８と本体６３のロールキャッチ部６５とを係合し、最後に、本体６３の底面側の開口部６２から手を入れてねじ６６をねじ込むことで、ガタ付きなく固定できる。よって、幕板６４がガタ付くことによる異音の発生を抑制できるので、使用者に不快感を与えることなく、洗面台部４０の高級感が損なわれることを抑制できる。【選択図】図２
2010125065.tif 000002
【特許請求の範囲】
【請求項１】
ボウルの下方に配置され、そのボウルに接続される配管を内部に収納すると共に、前面側および底面側に開口部を有する略箱状の本体と、その本体の前面側の開口部を覆う幕板とを備え、前記本体に対して前記幕板を取り付ける幕板の取付構造であって、
前記本体の横方向両側の側壁の上方に配設される本体係合部と、
その本体係合部の下方であって前記本体の横方向両側の側壁の下方に螺挿され、軸部および頭部を有するねじ部材と、
前記幕板の横方向両端の上方に配設され、前記本体係合部と係合する幕板係合部と、
その幕板係合部の下方であって前記幕板の横方向両端の下方に配設され、前記ねじ部材の軸部に対して引っ掛けられる切り欠きと、前記ねじ部材が前記側壁に対してねじ込まれた場合に前記側壁に対して固着される固着部とを有する固定部材とを備えていることを特徴とする幕板の取付構造。
【請求項２】
前記本体係合部および幕板係合部の一方は、突起で構成され、
前記本体係合部および幕板係合部の他方は、前記幕板が本体側へ押圧されることで、前記突起を挟持可能な挟持部で構成されていることを特徴とする請求項１記載の幕板の取付構造。
【請求項３】
ボウルの下方に配置され、そのボウルに接続される配管を内部に収納すると共に、前面側および底面側に開口部を有する略箱状の本体と、その本体の前面側の開口部を覆う幕板とを備え、前記本体に対して前記幕板を取り付ける幕板の取付方法であって、
前記本体の横方向両側の側壁の上方に配設される本体係合部と、
その本体係合部の下方であって前記本体の横方向両側の側壁の下方に螺挿され、軸部および頭部を有するねじ部材と、
前記幕板の横方向両端の上方に配設され、前記本体係合部と係合する幕板係合部と、
その幕板係合部の下方であって前記幕板の横方向両端の下方に配設され、前記ねじ部材の軸部に対して引っ掛けられる切り欠きと、前記ねじ部材が前記側壁に対してねじ込まれた場合に前記側壁に対して固着される固着部とを有する固定部材とを備え、
前記固定部材の切り欠きを前記ねじ部材の軸部に引っ掛ける引掛行程と、
その引掛行程により前記切り欠きが前記軸部に引っ掛けられた状態で、その軸部を回転軸として前記幕板を本体側に回転し、前記幕板係合部と本体係合部とを係合させる係合行程と、
その係合行程により前記幕板係合部と本体係合部とが係合された状態で、前記ねじ部材を前記側壁に対してねじ込み、前記固定部材の固着部を前記側壁に対して固定する固定行程とを備えていることを特徴とする幕板の取付方法。
【発明の詳細な説明】
【技術分野】
【０００１】
本発明は、幕板の取付構造および取付方法に関し、特に、幕板を本体に対してガタ付き無く固定できる幕板の取付構造および取付方法に関するものである。
【背景技術】
【０００２】
実開平５−４６３９０号公報（以下「特許文献１」と称す）には、洗面台の下方に接続される配管を幕板により覆う洗面台ユニットが開示されている。この洗面台ユニットにおいて、幕板は、洗面台の下方に設けられるベースキャビネットに対して取り付けられる。幕板のベースキャビネットへの取り付けは、ベースキャビネットの下側に設けられる棚受ダボに、幕板の下側に設けられるＬ字状の金具を引っ掛けた状態で、幕板をベースキャビネット側に揺動し、幕板の上側に設けられる突起とベースキャビネットの上側に設けられるロールキャッチとを結合させることで行われる。  
【特許文献１】実開平５−４６３９０号公報
【発明の開示】
【発明が解決しようとする課題】
【０００３】
しかしながら、特許文献１の洗面台ユニットでは、幕板をベースキャビネットに取り付けた状態になると、ベースキャビネットの棚受けダボに幕板のＬ字状の金具を引っ掛けるだけの取付構造なので、幕板の下側はベースキャビネットに対して固定されていない。幕板の下側がベースキャビネットに対して固定されていないと、洗面台の使用時の振動などにより幕板からガタ付き異音が発生するので、使用者に不快感を与え、洗面台ユニットの高級感が損なわれるという問題点があった。
【０００４】
本発明は、上述した問題点を解決するためになされたものであり、幕板を本体に対してガタ付き無く固定できる幕板の取付構造および取付方法を提供することを目的としている。
【課題を解決するための手段】
【０００５】
この目的を達成するために請求項１記載の幕板の取付構造は、ボウルの下方に配置され、そのボウルに接続される配管を内部に収納すると共に、前面側および底面側に開口部を有する略箱状の本体と、その本体の前面側の開口部を覆う幕板とを備え、前記本体に対して前記幕板を取り付けるものであり、前記本体の横方向両側の側壁の上方に配設される本体係合部と、その本体係合部の下方であって前記本体の横方向両側の側壁の下方に螺挿され、軸部および頭部を有するねじ部材と、前記幕板の横方向両端の上方に配設され、前記本体係合部と係合する幕板係合部と、その幕板係合部の下方であって前記幕板の横方向両端の下方に配設され、前記ねじ部材の軸部に対して引っ掛けられる切り欠きと、前記ねじ部材が前記側壁に対してねじ込まれた場合に前記側壁に対して固着される固着部とを有する固定部材とを備えている。
【０００６】
請求項２記載の幕板の取付構造は、請求項１記載の幕板の取付構造において、前記本体係合部および幕板係合部の一方は、突起で構成され、前記本体係合部および幕板係合部の他方は、前記幕板が本体側へ押圧されることで、前記突起を挟持可能な挟持部で構成されている。
【０００７】
請求項３記載の幕板の取付方法は、ボウルの下方に配置され、そのボウルに接続される配管を内部に収納すると共に、前面側および底面側に開口部を有する略箱状の本体と、その本体の前面側の開口部を覆う幕板とを備え、前記本体に対して前記幕板を取り付ける方法であり、前記本体の横方向両側の側壁の上方に配設される本体係合部と、その本体係合部の下方であって前記本体の横方向両側の側壁の下方に螺挿され、軸部および頭部を有するねじ部材と、前記幕板の横方向両端の上方に配設され、前記本体係合部と係合する幕板係合部と、その幕板係合部の下方であって前記幕板の横方向両端の下方に配設され、前記ねじ部材の軸部に対して引っ掛けられる切り欠きと、前記ねじ部材が前記側壁に対してねじ込まれた場合に前記側壁に対して固着される固着部とを有する固定部材とを備え、前記固定部材の切り欠きを前記ねじ部材の軸部に引っ掛ける引掛行程と、その引掛行程により前記切り欠きが前記軸部に引っ掛けられた状態で、その軸部を回転軸として前記幕板を本体側に回転し、前記幕板係合部と本体係合部とを係合させる係合行程と、その係合行程により前記幕板係合部と本体係合部とが係合された状態で、前記ねじ部材を前記側壁に対してねじ込み、前記固定部材の固着部を前記側壁に対して固定する固定行程とを備えている。
【発明の効果】
【０００８】
請求項１記載の幕板の取付構造によれば、ボウルの下方には、ボウルに接続される配管を内部に収納すると共に前面側および底面側に開口部を有する略箱状の本体が配置され、その本体の前面側の開口部は幕板により覆われる。また、本体の横方向両側の側壁の上方には本体係合部が配設され、その本体係合部に係合される幕板係合部は幕板の横方向両端の上方に配設される。一方、本体の横方向両側の側壁の下方には、軸部および頭部を有するねじ部材が螺挿され、そのねじ部材の軸部に対して引っ掛けられる切り欠きと、ねじ部材が側壁に対してねじ込まれた場合に側壁に対して固着される固着部とを有する固定部材は、幕板の横方向両端の下方に配設される。
【０００９】
よって、本体に幕板が取り付けられた状態では、幕板の上方は本体係合部と幕板係合部とが係合して固定され、幕板の下方はねじ部材のねじ込みにより固定部材が本体の側壁に対して固定されるので、幕板を本体に対してガタ付きなく固定できる。従って、幕板がガタ付くことによる異音の発生を抑制できるので、使用者に不快感を与えることなく、手洗装置の高級感が損なわれることを抑制できるという効果がある。
【００１０】
また、本体の底面側には開口部が形成されると共に、ねじ部材および固定部材が本体の下方に位置するので、本体が床面から上方に離れて配置されている場合には、底面側の開口部からねじ部材および固定部材を視認しつつ、その底面側の開口部から手を挿入し、固定部材の切り欠きが軸部に引っ掛けられた状態でのねじ部材のねじ込み作業やねじ部材の緩め作業を行うことができる。よって、ねじ部材を視認できずにねじ部材を手探りで探すなどの手間がかからないので、幕板と本体との着脱作業を効率良く行えるという効果がある。
【００１１】
請求項２記載の幕板の取付構造によれば、請求項１記載の幕板の取付構造の奏する効果に加え、本体係合部および幕板係合部の一方は突起で構成され、本体係合部および幕板係合部の他方は、幕板が本体側へ押圧されることで、突起を挟持可能な挟持部で構成されている。よって、幕板の上方の本体に対する固定は、幕板を本体側に押圧するだけで突起を挟持部に挟持させて行えるので、本体の底壁側の開口部からの視認が困難である幕板の上方の固定を簡単に行えるという効果がある。
【００１２】
請求項３記載の幕板の取付方法によれば、引掛行程によって、固定部材の切り欠きをねじ部材の軸部に引っ掛け、係合行程によって、切り欠きが軸部に引っ掛けられた状態で、その軸部を回転軸として幕板を本体側に回転して幕板係合部と本体係合部とを係合させ、固定行程によって、幕板係合部と本体係合部とが係合された状態で、ねじ部材を側壁に対してねじ込み、固定部材の固着部を側壁に対して固定する。
【００１３】
よって、ねじ部材の軸部と固定部材の切り欠きとの引っ掛けを先に行い、その後、軸部を回転軸として幕板を回転させるので、本体の上部に位置しボウルにより視認が困難である幕板の上方の固定を、幕板を回転して本体側に押圧するのみで行える。従って、軸部に対する切り欠きの引っ掛けを本体の底面側の開口部から視認しながらできるし、幕板係合部と本体係合部との係合も簡単な操作で行えるので、幕板の本体に対する取り付け作業を効率良く行えるという効果がある。
【００１４】
また、本体の底面側には開口部が形成されると共に、ねじ部材および固定部材が本体の下方に位置するので、本体が床面から上方に離れて配置されている場合には、底面側の開口部からねじ部材および固定部材を視認できる。よって、引掛行程による切り欠きの軸部への引っ掛け作業や固定行程によるねじ部材のねじ込み作業を視認しながらできるので、幕板の本体への取り付け作業を効率良く行えるという効果がある。
【００１５】
また、本体に幕板が取り付けられた状態では、係合行程によって本体係合部と幕板係合部とが係合されて幕板の上方が固定され、固定行程によってねじ部材による固定部材の本体の側壁への固定が行われるので、幕板を本体に対してガタ付きなく固定できる。従って、幕板がガタ付くことによる異音の発生を抑制できるので、使用者に不快感を与えることなく、手洗装置の高級感が損なわれることを抑制できるという効果がある。
【発明を実施するための最良の形態】
【００１６】
以下、本発明の好ましい実施形態について、添付図面を参照して説明する。図１は、本発明の一実施形態の幕板６４の取付構造を有する手洗装置４０が配置されたトイレＴの全体を示した斜視図である。なお、図１において、矢印Ｘは、手洗装置４０の左右方向（便器装置Ｓの前後方向）を示しており、矢印Ｙは、手洗装置４０の奥行き方向（便器装置Ｓの左右方向）を示しており、矢印Ｚは、手洗装置４０（便器装置Ｓ）の上下方向を示している。
【００１７】
図１に示すように、トイレＴは、床面Ｆと、４つの壁面Ｗ（２つの壁面Ｗは図示せず）と、天井面（図示せず）とにより囲まれた空間である。なお、以下の説明では、４つの壁面Ｗのうち、便器装置Ｓの後方の壁面を壁面Ｗ１とし、便器装置Ｓの側方の壁面をＷ２として説明する。
【００１８】
トイレＴ内には、主に、壁面Ｗ２に奥壁が隣接し且つ、壁面Ｗ１及び壁面Ｗ２により形成されるコーナー部から反壁面Ｗ１方向（矢印Ｘ方向の右手前側）に沿って収納棚Ｒが配設され、壁面Ｗ１に後端が隣接して便器装置Ｓが配設されている。
【００１９】
収納棚Ｒは、前面側の開口部が扉により覆われたサイド収納部１０と、そのサイド収納部１０の反壁面Ｗ１側に配置されると共にサイド収納部１０と同形状に形成される中央収納部２０と、トイレットペーパーが装着される装着部３０と、上部に手洗器を有すると共に内部に配管等（給水管５３や排水管５５、配管８１，８２（図２（ａ）参照））が収納された手洗装置４０とを有して構成されている。
【００２０】
次に、図２を参照して、手洗装置４０の構造について詳細に説明する。図２（ａ）は、手洗装置４０の分解斜視図であり、図２（ｂ）は、本体６３のねじ６６及び幕板６４の固定金具６９の拡大図である。
【００２１】
図２（ａ）に示すように、手洗装置４０は、主に、その上部に配設される手洗器５０と、その手洗器５０の下方に配置される略箱状の本体部６０と、その本体部６０内に収納されると共に手洗器５０に接続される配管などを有する配管部８０とを有して構成されている。
【００２２】
手洗器５０は、陶器などで桶状に形成されるボウル５１と、水や温水などが吐止水される水栓５２と、その水栓５２に接続されると共にボウル５１の下方に伸びる給水管５３と、ボウル５１の底面に形成される排水口５４と、その排水口５４に接続されると共にボウル５１の下方に伸びる排水管５５と、手洗器５０を本体６３に対して固着するための棒ねじ５６とを有して構成されている。
【００２３】
なお、手洗器５０と本体６３との固定は、本体６３の天井壁６３ｃ上に形成される貫通孔に棒ねじ５６を貫挿し、手洗器５０を本体６３上に配置した状態で、本体６３側から棒ねじ５６に対してナット（図示せず）等をねじ込むことにより行われる。
【００２４】
本体部６０は、主に、前面側に開口部６１および底面側に開口部６２を有し略箱状に形成される本体６３と、前面側の開口部６１を覆う幕板６４とを有して構成されている。
【００２５】
本体６３は、壁面Ｗ１（図１参照）側に位置する側壁６３ａと、その側壁６３ａに対向配置される側壁６３ｂと、天井壁６３ｃと、奥壁６３ｄとにより略箱状に形成されている。そして、本体６３の両側壁６３ａ，６３ｂの内側の壁面には、本体６３の上下方向（矢印Ｚ方向）において、上方に幕板６４の係合部６８が係合（結合）されるロールキャッチ部６５が配設され、下方にねじ６６がねじ込まれるねじ溝６７が形成されている。
【００２６】
幕板６４には、その幕板６４の上下方向（矢印Ｚ方向）において、上方に本体６３のロールキャッチ部６５に係合される突起状の係合部６８が配設され、下方に本体６３のネジ６６の軸部６６ａ（図２（ｂ）参照）に引っ掛けられると共に側壁６３ａ，６３ｂに対して固定される固定金具６９が配設されている。
【００２７】
配管部８０は、手洗器５０の給水管５３に接続される給水用の配管８１と、排水管５５に接続される排水用の配管８２とで構成されている。給水用の配管８１は、本体６３の奥壁６３ｄに形成される切り欠き７０を介して壁面Ｗ２（図１参照）内を貫通し、排水用の配管８２は、奥壁６３ｄに貫通形成される貫通孔７１を介して壁面Ｗ２内を貫通して外部に接続されるように構成されている。
【００２８】
つまり、手洗装置４０が組み付けられた状態では、本体６３の内部に、給水管５３、排水管５５及び配管８１，８２とが収納され、幕板６４により前面側の開口部６１を閉じることで、美観が損なわれることを防止している。
【００２９】
図２（ｂ）に示すように、ねじ６６は、ネジ溝が形成された軸部６６ａと、その軸部６６ａの直径より直径が大きく形成された傘部６６ｂとで構成されている。
【００３０】
固定金具６９は、幕板６４に対して固定されるベース部６９ａと、そのベース部６９ａに対して略直角に湾曲して反幕板６４方向に延設される固着部６９ｂと、その固着部６９ｂの延設方向の先端部に形成される略Ｕ字状の切り欠き６９ｃとで構成されている。
【００３１】
また、ねじ６６の傘部６６ｂの直径ａと固着部６９ｂの縦幅ｂとは、ほぼ同等の長さに形成されている。よって、ねじ６６の軸部６６ｂに対して固着部６９の切り欠き６９ｃが引っ掛けられ、その後、ねじ６６がねじ溝６７にねじ込まれると、固着部６９ｂが側壁６３ａ，６３ｂに対して強固に固定される。
【００３２】
次に、図３を参照して、幕板６４の本体６３への着脱方法について説明する。図３は、幕板６４の本体６３への取り付け順序を示した側面図である。なお、図３では、手洗器５０及び配管部８０の図示は省略し、本体部６０のうち、幕板６４の着脱に関する構成のみを概略的に図示している。
【００３３】
図３（ａ）に示すように、幕板６４を本体６３に取り付ける場合には、まず、ねじ６６をねじ溝６７に軽くねじ込み、そのねじ６６の軸部６６ａに固定金具６９の固着部６９ｂの切り欠き６９ｃを引っ掛ける（引掛行程）。
【００３４】
その後、幕板６４の上部を本体６３側に押圧すると、図３（ａ）に示す太矢印の方向に幕板６４が回転し、幕板６４の係合部６８が本体６３のロールキャッチ部６５に押し込まれて係合される（係合行程）。
【００３５】
そして、図３（ｂ）に示すように、本体６３の底面側の開口部６２（図２（ａ）参照）から手を入れて、ねじ６６を更にねじ込むと、固着部６９ｂが本体６３の側壁６３ａ，６３ｂに固定されて、幕板６４が強固に固定される（固定行程）。
【００３６】
なお、幕板６４の本体６３からの取り外しは、本体６３の底面側の開口部６２から手を入れてねじ６６を緩め、本体６３の内側から幕板６４を押圧することで、係合部６８とロールキャッチ部６５との係合が解除され、幕板６４を本体６３から取り外し可能な状態となる。
【００３７】
以上説明したように、本実施形態では、幕板６４を本体６３に取り付ける場合には、ねじ溝６７に軽くねじ込まれたねじ６６の軸部６６ａに固定金具６９の固着部６９ｂの切り欠き６９ｃを引っ掛け、その後、軸部６６ａを回転軸として幕板６４を回転し、幕板６４を本体６３側に押圧することで、幕板６４の係合部６８と本体６３のロールキャッチ部６５とが係合し、最後に、本体６３の底面側の開口部６２から手を入れて、ねじ６６を更にねじ込み、固着部６９ｂを側壁６３ａ，６３ｂに固定することで行われる。
【００３８】
よって、幕板６４が本体６３に取り付けられた状態では、幕板６４の上方が係合部６８とロールキャッチ部６５とにより固定されると共に、幕板６４の下方がねじ６６により強固に固定されるので、幕板６４を本体６３に対してガタ付きなく固定できる。従って、幕板６４がガタ付くことによる異音の発生を抑制できるので、使用者に不快感を与えることなく、手洗装置４０（収納棚Ｒ）の高級感が損なわれることを抑制できる。
【００３９】
また、本体６３の底面側には開口部６２が形成されると共に、ねじ６６および固定金具６９が本体６３の下方に位置するので、底面側の開口部６２からねじ６６および固定金具６９を視認しつつ、その底面側の開口部６２から手を挿入し、固定金具６９の切り欠き６９ｃが軸部６６ａに引っ掛けられた状態でのねじ６６のねじ込み作業やねじ６６の緩め作業を行うことができる。よって、ねじ６６を視認できずにねじ６６を手探りで探すなどの手間がかからないので、幕板６４と本体６３との着脱作業を効率良く行うことができる。
【００４０】
また、ねじ６６の軸部６６ａと固定金具６９の切り欠き６９ｃとの引っ掛けを先に行い、その後、軸部６６ａを回転軸として幕板６４を回転させるので、本体６３の上部に位置し手洗器５０により視認が困難である幕板６４の上方の固定を、幕板６４を回転して本体６３側に押圧するのみで行える。よって、軸部６６ａに対する切り欠き６９ｃの引っ掛けを本体６３の底面側の開口部６２から視認しながらできるし、係合部６８とロールキャッチ部６５との係合も簡単な操作で行えるので、幕板６４の本体６３に対する取り付け作業を効率良く行うことができる。
【００４１】
以上、実施形態に基づき本発明を説明したが、本発明は上述した実施の形態になんら限定されるものではなく、本発明の趣旨を逸脱しない範囲内で種々の改良変更が可能であることは容易に推察できるものである。
【００４２】
例えば、上記実施形態では、幕板６４の本体６３への取付構造を、トイレＴ内に配置される手洗装置４０に使用するものとしたが、浴室に配置される手洗装置に使用しても良いし、キッチンに配置される手洗装置に使用しても良いし、他の室内に配置される手洗装置に使用しても良い。幕板６４の本体６３への取付構造は、手洗装置の配置場所に関わらず、幕板６４のガタ付きによる異音の発生を抑制できるので、使用者に不快感を与えることを抑制できるし、手洗装置の高級感が損なわれることを抑制できるし、幕板６３の着脱を簡単に行うことができる。
【００４３】
また、上記実施形態では、幕板６４の上部と本体６３の上部とを、幕板６４の係合部６８と本体６３のロールキャッチ部６５とを係合させることで固定するように構成したが、幕板６４の下部と本体６３の下部との取付構造と同様に、固着部６９ｂとねじ６６とにより固定するように構成しても良い。この構成では、幕板６４と本体６３との固定を一層強固にできるので、幕板６４のガタ付きを確実に防止できる。
【００４４】
また、上記実施形態では、幕板６４及び本体６３の上部の固定を、係合部（突起）６８とロールキャッチ部６５との組み合わせで行うものとしたが、先端に球体を有する第１係合部と、その球体の直径より小さな直径の入口および球体の直径とほぼ同じ直径の内部空間を有する第２係合部との組み合わせで行うものとしても良い。つまり、幕板６４と本体６３との固定を押圧操作で行え且つ幕板６４のガタ付きを抑制できる構成であれば、幕板６４側の係合部と本体６３側の係合部との組み合わせは如何なるものであっても良い。なお、どの組み合わせであっても、幕板６４及び本体６３の上部の固定を簡単な操作で行えると共に、幕板６４及び本体６３の上部の固定をガタ付きなく行うことができる。
【００４５】
また、上記実施形態では、幕板６４側に突起状の係合部６８を設け、本体６３側に係合部６８を挟持するロールキャッチ部６５を設けるように構成したが、本体６３側に突起状の係合部を設け、幕板６４側に係合部を挟持するロールキャッチ部を設けるように構成しても良い。係合部およびロールキャッチ部を幕板６４及び本体６３のどちらに設ける場合であっても、幕板６４の上部と本体６３の上部との係合および係合解除を簡単に行うことができる。
【図面の簡単な説明】
【００４６】
【図１】本発明の一実施形態の幕板の取付構造を有する手洗装置が配置されたトイレの全体を示した斜視図である。
【図２】（ａ）は、手洗装置の分解斜視図であり、（ｂ）は、本体のねじ及び幕板の固定金具の拡大図である。
【図３】幕板の本体への取り付け順序を示した側面図である。
【符号の説明】
【００４７】
５０            手洗器
５１            ボウル
５３            給水管（配管の一部）
５５            排水管（配管の一部）
６１            開口部（本体の前面側の開口部）
６２            開口部（本体の底面側の開口部）
６３            本体
６３ａ，６３ｂ  側壁（本体の横方向両側の側壁）
６４            幕板
６５            ロールキャッチ部（本体係合部、挟持部）
６６            ねじ（ねじ部材）
６８            係合部（幕板係合部、突起）
６９            固定金具（固定部材）
６９ｂ          固着部
６９ｃ          切り欠き
８１，８２      配管
【図１】
2010125065.tif 000003
【図２】
2010125065.tif 000004
【図３】
2010125065.tif 000005